(57)【特許請求の範囲】
【請求項１】
立体視画像を構成する右目用画像および左目用画像の少なくとも２枚の画像について、１つの画像を主画像に設定するとともに残りの画像を副画像に設定して、前記少なくとも２枚の画像を１つの立体視画像ファイルで保存する画像ファイル生成装置と、
該立体視画像ファイルの再生に対応した画像再生機器とを備え、
前記画像ファイル生成装置が、前記副画像について所定の形式で暗号化して前記立体視画像ファイルとして保存するものであり、
前記画像再生機器が、前記所定の形式で暗号化された前記副画像を複合可能なものであり、
前記画像再生機器のみ前記副画像の再生を可能にしたことを特徴とする画像再生システム。
【請求項２】
立体視画像を構成する右目用画像および左目用画像の少なくとも２枚の画像について、１つの画像を主画像に設定するとともに残りの画像を副画像に設定して、前記少なくとも２枚の画像を１つの立体視画像ファイルで保存する画像ファイル生成装置と、
該立体視画像ファイルの再生に対応した画像再生機器とを備え、
前記画像ファイル生成装置が、前記副画像について表示の際に必要なパスワードを設定して前記立体視画像ファイルとして保存するものであり、
前記画像再生機器が、前記パスワードの入力が可能なものであり、
前記画像再生機器のみ前記副画像の再生を可能にしたことを特徴とする画像再生システム。
【請求項３】
前記画像ファイル生成装置が、前記立体視画像ファイル中の各画像の被写体に対する撮影角度が異なる場合、最も撮影角度が小さい画像を前記主画像に設定するものであることを特徴とする請求項１または２記載の画像再生システム。
【請求項４】
前記画像ファイル生成装置が、前記立体視画像ファイル中の各画像の画質が異なる場合、最も画質の良い画像を前記主画像に設定するものであることを特徴とする請求項１または２記載の画像再生システム。
【請求項５】
立体視画像を構成する右目用画像および左目用画像の少なくとも２枚の画像について、１つの画像を主画像に設定するとともに残りの画像を副画像に設定して、前記少なくとも２枚の画像を１つの立体視画像ファイルで保存するものであり、
前記副画像について所定の形式で暗号化して前記立体視画像ファイルとして保存するものであることを特徴とする画像ファイル生成装置。
【請求項６】
立体視画像を構成する右目用画像および左目用画像の少なくとも２枚の画像について、１つの画像を主画像に設定するとともに残りの画像を副画像に設定して、前記少なくとも２枚の画像を１つの立体視画像ファイルで保存するものであり、
前記副画像について表示の際に必要なパスワードを設定して前記立体視画像ファイルとして保存するものであることを特徴とする画像ファイル生成装置。
【請求項７】
前記立体視画像ファイル中の各画像の被写体に対する撮影角度が異なる場合、最も撮影角度が小さい画像を前記主画像に設定するものであることを特徴とする請求項５または６記載の画像ファイル生成装置。
【請求項８】
前記立体視画像ファイル中の各画像の画質が異なる場合、最も画質の良い画像を前記主画像に設定するものであることを特徴とする請求項５または６記載の画像ファイル生成装置。
【発明の詳細な説明】
【技術分野】
【０００１】
本発明は、立体視画像を構成する右目用画像および左目用画像の少なくとも２枚の画像について、１つの画像を主画像に設定するとともに残りの画像を副画像に設定して、これら少なくとも２枚の画像を１つの立体視画像ファイルで保存する画像ファイル生成装置と、この画像ファイル生成装置を備えた画像再生システムに関するものである。
【背景技術】
【０００２】
従来、右目用画像および左目用画像の２枚の画像を組み合わせて表示することにより、視差を利用して立体視できることが知られている。このような立体視できる画像（以下、立体視画像またはステレオ画像という）は、同一の被写体を異なる位置から撮影して取得された互いに視差のある複数の画像に基づいて生成される。【０００３】
そして、このような立体視画像の生成は、デジタルカメラやテレビ等の分野だけでなく、放射線画像撮影の分野においても利用されている。すなわち、被験者に対して互いに異なる方向から放射線を照射し、その被験者を透過した放射線を放射線画像検出器によりそれぞれ検出して互いに視差のある複数の放射線画像を取得し、これらの放射線画像に基づいて立体視画像を生成することが行われている。そして、このように立体視画像を生成することによって奥行感のある放射線画像を観察することができ、より診断に適した放射線画像を観察することができる。（例えば特許文献１参照）
【先行技術文献】
【特許文献】
【０００４】
【特許文献１】特開２０１０−１１０５７１号公報
【発明の概要】
【発明が解決しようとする課題】
【０００５】
上記のように放射線画像撮影において、互いに視差のある複数の放射線画像を取得し、これらの放射線画像に基づいて立体視画像を生成可能にしたとしても、読影医は常に立体視画像のみを観察したいとは限らず、立体視画像を構成する複数の放射線画像の中のいずれか一枚の画像のみを表示させて通常画像（２次元画像）として観察したい場合があるが、この場合に立体視画像を構成する複数の放射線画像の中から２次元観察用として表示する画像が毎回異なってしまうと正しい診断が出来ないおそれがあるため、常に同じ画像を表示させることが求められる。【０００６】
一方、立体視画像を構成するための、互いに視差のある複数の放射線画像データは、２次元観察に最適な画像を主画像に設定するとともに残りの画像を副画像に設定して、まとめて１つの立体視画像ファイルとして保存・管理することが好ましい。この場合、読影医から立体視画像を構成する複数の放射線画像の中のいずれか一枚の画像のみを表示させて通常画像（２次元画像）として観察したいと要求された際に、この立体視画像ファイルに対応した画像再生装置において主画像を常に表示するようにすれば、診断の度に異なる画像が表示されることがなく、常に最適な画像で診断されることになるため、適切な診断を行わせることが可能となる。【０００７】
しかしながら、このようなファイル形式で保存・管理するようにしたとしても、上記立体視画像ファイルに対応していない画像再生装置において、ファイル内の放射線画像を自由に参照されてしまうと、上記の通り誤診を誘発するおそれがあるため好ましくない。【０００８】
本発明は、上記問題に鑑みてなされたものであり、立体視画像ファイルに対応していない画像再生装置では、ファイル内の放射線画像（副画像）を自由に参照できないようにした画像再生システムおよび画像ファイル生成装置を提供することを目的とする。
【課題を解決するための手段】
【０００９】
本発明の画像再生システムは、立体視画像を構成する右目用画像および左目用画像の少なくとも２枚の画像について、１つの画像を主画像に設定するとともに残りの画像を副画像に設定して、これら少なくとも２枚の画像を１つの立体視画像ファイルで保存する画像ファイル生成装置と、立体視画像ファイルの再生に対応した画像再生機器とを備え、立体視画像ファイルの再生に対応した画像再生機器のみ副画像の再生を可能にしたことを特徴とする。【００１０】
ここで「立体視画像ファイルの再生に対応した画像再生機器」とは、立体視画像ファイル中の複数の画像について、どの画像が主画像もしくは副画像であるかを特定できる機器を意味する。この対応画像再生機器において、ユーザーが立体視画像ファイル中の複数の放射線画像の中のいずれか一枚の画像のみを表示させて通常画像（２次元画像）として観察しようとした場合は、通常は主画像を２次元画像として表示するが、ユーザーからの要求があった場合には副画像についても副画像であることをユーザーに明示した上で２次元画像として表示するものとしてもよい。【００１１】
本発明の画像再生システムにおいて、画像ファイル生成装置は、副画像について所定の形式で暗号化して立体視画像ファイルとして保存するものであり、画像再生機器は、所定の形式で暗号化された副画像を複合可能なものとしてもよい。ここで「暗号化」とは、所定の手順を踏まないと画像の表示ができなくなる処理のことを意味し、一般的な暗号化処理の他に、画像圧縮処理も含むものである。【００１２】
また、画像ファイル生成装置は、副画像について表示の際に必要なパスワードを設定して立体視画像ファイルとして保存するものであり、画像再生機器は、パスワードの入力が可能なものとしてもよい。ここで画像再生機器におけるパスワードの入力については、画像再生機器においてユーザーにパスワード入力させることが可能な手段を持たせる他に、画像再生機器が副画像を表示する際に自動的にパスワードを入力して表示するものを含む。【００１３】
また、画像ファイル生成装置は、立体視画像ファイル中の各画像の被写体に対する撮影角度が異なる場合、最も撮影角度が小さい画像を主画像に設定するものとしてもよい。【００１４】
また、画像ファイル生成装置は、立体視画像ファイル中の各画像の画質が異なる場合、最も画質の良い画像を主画像に設定するものとしてもよい。【００１５】
本発明の画像ファイル生成装置は、立体視画像を構成する右目用画像および左目用画像の少なくとも２枚の画像について、１つの画像を主画像に設定するとともに残りの画像を副画像に設定して、これら少なくとも２枚の画像を１つの立体視画像ファイルで保存することを特徴とする。【００１６】
本発明の画像ファイル生成装置は、副画像について所定の形式で暗号化して立体視画像ファイルとして保存するものとしてもよい。ここで「暗号化」とは、所定の手順を踏まないと画像の表示ができなくなる処理のことを意味し、一般的な暗号化処理の他に、画像圧縮処理も含むものである。【００１７】
また、副画像について表示の際に必要なパスワードを設定して立体視画像ファイルとして保存するものとしてもよい。【００１８】
また、立体視画像ファイル中の各画像の被写体に対する撮影角度が異なる場合、最も撮影角度が小さい画像を主画像に設定するものとしてもよい。【００１９】
また、立体視画像ファイル中の各画像の画質が異なる場合、最も画質の良い画像を主画像に設定するものとしてもよい。
【発明の効果】
【００２０】
本発明の画像再生システムによれば、立体視画像を構成する右目用画像および左目用画像の少なくとも２枚の画像について、１つの画像を主画像に設定するとともに残りの画像を副画像に設定して、これら少なくとも２枚の画像を１つの立体視画像ファイルで保存する画像ファイル生成装置と、立体視画像ファイルの再生に対応した画像再生機器とを備え、立体視画像ファイルの再生に対応した画像再生機器のみ副画像の再生を可能にし、ユーザーが立体視画像ファイル中の複数の放射線画像の中のいずれか一枚の画像のみを表示させて通常画像（２次元画像）として観察しようとした場合に、立体視画像ファイルの再生に対応した画像再生機器では、２次元観察に適した主画像を認識して表示させることができ、立体視画像ファイルの再生に対応していない画像再生機器では、２次元観察に適した主画像のみしか表示させないようにすることができるので、どのような画像再生機器においても適切な画像を表示して診断を行わせることが可能となる。【００２１】
本発明の画像ファイル生成装置によれば、立体視画像を構成する右目用画像および左目用画像の少なくとも２枚の画像について、１つの画像を主画像に設定するとともに残りの画像を副画像に設定して、これら少なくとも２枚の画像を１つの立体視画像ファイルで保存するようにしたので、２次元観察時にどのような画像再生機器においても適切な画像を表示させることが可能な立体視画像ファイルを生成することができる。
【図面の簡単な説明】
【００２２】
【図１】本発明の一実施の形態の画像再生システムを用いた乳房用立体視画像撮影表示システムの概略構成図
【図２】図１に示す乳房用立体視画像撮影表示システムのアーム部を図１の右方向から見た図
【図３】図１に示す乳房用立体視画像撮影表示システムのコンピュータ内部の概略構成を示すブロック図
【図４】上記乳房用立体視画像撮影表示システムにおいて用いる立体視画像ファイルの構成図
【発明を実施するための形態】
【００２３】
以下、図面を参照して本発明の一実施の形態の画像再生システムを用いた乳房用立体視画像撮影表示システムの概略構成図について説明する。
【００２４】
まず、本実施の形態の乳房用立体視画像撮影表示システム全体の概略構成について説明する。図１は本発明の一実施の形態の画像再生装置を用いた乳房用立体視画像撮影表示システムの概略構成図、図２は図１に示す乳房用立体視画像撮影表示システムのアーム部を図１の右方向から見た図、図３は図１に示す乳房用立体視画像撮影表示システムのコンピュータ内部の概略構成を示すブロック図、図４は上記乳房用立体視画像撮影表示システムにおいて用いる立体視画像ファイルの構成図である。
【００２５】
本実施の形態の乳房用立体視画像撮影表示システム１は、図１に示すように、乳房画像撮影装置１０と、乳房画像撮影装置１０において取得された立体視画像ファイルを保存・管理するデータベース４０と、データベース４０に保存されている立体視画像ファイルを再生するための画像再生端末５０とから構成されており、これらがＤＩＣＯＭ（Digital Imaging and COmmunication in Medicine）ネットワークに接続されている。なお、乳房画像撮影装置１０は、乳房画像撮影装置１０を制御するためのコンピュータ８を介してＤＩＣＯＭネットワークに接続されている。
【００２６】
まず、乳房画像撮影装置１０は、図１に示すように、基台１１と、基台１１に対し上下方向（Ｚ方向）に移動可能であり、かつ回転可能な回転軸１２と、回転軸１２により基台１１と連結されたアーム部１３を備えている。なお、図２には、図１の右方向から見たアーム部１３を示している。
【００２７】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２８】
撮影台１４の内部には、フラットパネルディテクタ等の放射線画像検出器１５と、放射線画像検出器１５からの電荷信号の読み出しを制御する検出器コントローラ３３が備えられている。また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部等が設けられた回路基板等も設置されている。
【００２９】
また、撮影台１４はアーム部１３に対し回転可能に構成されており、基台１１に対してアーム部１３が回転したときでも、撮影台１４の向きは基台１１に対し固定された向きとすることができる。
【００３０】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００３１】
放射線照射部１６の中には放射線源１７と、放射線源コントローラ３２が収納されている。放射線源コントローラ３２は、放射線源１７から放射線を照射するタイミングと、放射線源１７における放射線発生条件（管電流、管電圧、時間等）を制御するものである。
【００３２】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９が設けられている。圧迫板１８の位置、圧迫圧は、圧迫板コントローラ３４により制御される。
【００３３】
コンピュータ８は、中央処理装置（ＣＰＵ）および半導体メモリやハードディスクやＳＳＤ等のストレージデバイス等を備えており、これらのハードウェアによって、図３に示すような制御部８ａ、データ記憶部８ｂおよびファイル生成部８ｃが構成されている。制御部８ａは、各種のコントローラ３１〜３４に対して所定の制御信号を出力し、システム全体の制御を行うものである。具体的な制御方法については後で詳述する。データ記憶部８ｂは、放射線画像検出器１５によって取得された撮影角度毎の放射線画像データ等を記憶するものである。ファイル生成部８ｃは、放射線画像検出器１５によって取得された、立体視画像を構成する複数の画像を１つの立体視画像ファイルで保存するためのものである。この立体視画像ファイルについては後で詳述する。すなわち、本実施の形態においては、コンピュータ８が、画像ファイル生成装置としての機能を兼ね備えるものとなる。
【００３４】
コンピュータ８に接続されている入力部７は、例えば、キーボードやマウス等のポインティングデバイスから構成されたものであり、撮影条件や操作指示等の入力を受け付けるためのものである。
【００３５】
次に、データベース４０は、上記乳房画像撮影装置１０等、ＤＩＣＯＭネットワークに接続されている画像撮影装置において取得された各種画像ファイルを集中的に保存・管理するためのものであり、ハードディスクドライブ（ＨＤＤ）やソリッドステートドライブ（ＳＳＤ）等のストレージデバイスから構成される。
【００３６】
次に、画像再生端末５０は、データベース４０に保存されている各種画像ファイルを再生するための端末であり、コンピュータ５１とモニタ５２とから構成されている。
【００３７】
コンピュータ５１は、ファイル生成部８ｃにおいて生成された立体視画像ファイルの再生が可能なものであり、ハードウェアの構成は一般的なコンピュータと同等である。立体視画像ファイル再生の手順については後で詳述する。
【００３８】
モニタ５２は、コンピュータ８から出力された２つの放射線画像信号を用いて、撮影方向毎の放射線画像をそれぞれ２次元画像として表示することにより、ステレオ画像（立体視画像）を立体視可能に表示するように構成されたものである。
【００３９】
ステレオ画像を表示する構成としては、たとえば、２つの画面を用いて２つの放射線画像信号に基づく放射線画像をそれぞれ表示させて、これらをハーフミラーや偏光グラスなどを用いることで一方の放射線画像は観察者の右目に入射させ、他方の放射線画像は観察者の左目に入射させることによってステレオ画像を表示する構成を採用することができる。
【００４０】
または、たとえば、２つの放射線画像を所定の視差量だけずらして重ね合わせて表示し、これを偏光グラスで観察することでステレオ画像を生成する構成としてもよいし、もしくはパララックスバリア方式およびレンチキュラー方式のように、２つの放射線画像を立体視可能な３Ｄ液晶に表示することによってステレオ画像を生成する構成としてもよい。
【００４１】
また、モニタ５２は、１つの放射線画像信号のみを用いて通常の２次元画像として表示することも可能である。
【００４２】
なお、上記のモニタ５２のように、ステレオ画像の表示と２次元画像の表示とを兼用するものに限らず、ステレオ画像を表示する装置と２次元画像を表示する装置とを別個に構成するようにしてもよい。
【００４３】
次に、本実施形態の乳房用立体視画像撮影表示システムの作用について説明する。
【００４４】
まず、撮影の際の動作について説明する。
最初に撮影台１４の上に乳房Ｍが設置され、圧迫板１８により乳房Ｍが所定の圧力によって圧迫される。
【００４５】
次に、入力部７おいて、ステレオ画像用の輻輳角θを含む種々の撮影条件が入力された後、撮影開始の指示が入力される。
【００４６】
そして、入力部７において撮影開始の指示があると、乳房Ｍのステレオ画像の撮影が行われる。具体的には、まず、制御部８ａが、入力された輻輳角θに基づいて、実際の撮影角度θ'の情報をアームコントローラ３１に出力する。なお、本実施の形態においては、このときの輻輳角θの情報としてθ＝４°、輻輳角θを構成する撮影角度θ’の組み合わせとしてθ’＝０°とθ’＝４°の組み合わせが設定されているものとするが、これに限られるものではなく、撮影者は入力部７において任意の輻輳角θを設定可能である。なお、輻輳角θは小さすぎても大きすぎても適切な立体視を行なわせることが難しくなるため、４°以上１５°以下に設定されることが望ましい。なお、撮影角度θ’の組み合わせとしては、上記の一方の撮影角度θ’、すなわち２次元観察用の主画像を撮影するための撮影角度θ’は０°とすることが望ましい。これは、放射線画像検出器１５の正面から撮影した画像が、最も２次元観察に適しているからである。
【００４７】
図２に示すように、アームコントローラ３１において、制御部８ａから出力された１つ目の撮影角度θ'の情報が受け付けられ、アームコントローラ３１は、この撮影角度θ'の情報に基づいて、アーム部１３を検出面１５ａに垂直な方向に対して４°傾く撮影角度θ'となる制御信号を出力する。
【００４８】
アームコントローラ３１から出力された制御信号に応じてアーム部１３が４°回転する。続いて制御部８ａは、放射線源コントローラ３２および検出器コントローラ３３に対して放射線の照射と放射線画像の読出しを行うよう制御信号を出力する。この制御信号に応じて、放射線源１７から放射線が射出され、乳房Ｍを撮影角度θ'が４°の方向から撮影した放射線画像が放射線検出器１５によって検出され、検出器コントローラ３３によって放射線画像データが読み出され、データ記憶部８ｂに記憶される。
【００４９】
同様に、図２に示すように、アームコントローラ３１において、制御部８ａから出力された２つ目の撮影角度θ'の情報が受け付けられ、アームコントローラ３１は、この撮影角度θ'の情報に基づいて、アーム部１３を検出面１５ａに垂直な方向（撮影角度θ'＝０°）となる制御信号を出力する。
【００５０】
アームコントローラ３１から出力された制御信号に応じてアーム部１３が検出面１５ａに垂直な方向となるよう回転する。続いて制御部８ａは、放射線源コントローラ３２および検出器コントローラ３３に対して放射線の照射と放射線画像の読出しを行うよう制御信号を出力する。この制御信号に応じて、放射線源１７から放射線が射出され、乳房Ｍを撮影角度θ'が０°の方向から撮影した放射線画像が放射線検出器１５によって検出され、検出器コントローラ３３によって放射線画像データが読み出され、データ記憶部８ｂに記憶される。
【００５１】
上記のように取得された撮影角度θ’が０°と４°の２つの放射線画像のうち、いずれか一方が右目用画像として、他方が左目用画像として用いられる。
【００５２】
コンピュータ８のファイル生成部８ｃは、データ記憶部８ｂに撮影角度θ’が０°と４°の２つの放射線画像データが記憶された段階で、図４に示すように、撮影角度θ’が０°の放射線画像データを主画像（ＭＧ）に設定し、撮影角度θ’が４°の放射線画像データを副画像（ＳＣ）に設定し、さらに患者の情報や撮影時の放射線量等の情報を含むヘッダを加えて、これらを一つの立体視画像ファイルとして生成し保存する。このとき、副画像については、立体視画像ファイルの再生に対応した画像再生機器（端末）において既知であるパスワードが設定され、副画像の表示の際は立体視画像ファイルの再生に対応した画像再生機器（端末）においてパスワードを解除しなければ表示できないようにして保存される。
【００５３】
この立体視画像ファイルは、データ記憶部８ｂに保存されるとともに、さらにＤＩＣＯＭネットワークに接続されているデータベース４０にも送信され、データベース４０においても保存・管理される。
【００５４】
次に、画像表示の際の動作について説明する。
【００５５】
上記立体視画像ファイルの再生に対応した画像再生端末５０において、ユーザーからステレオ画像表示が要求された際には、画像再生端末５０のコンピュータ５１は、データベース４０に記憶された立体視画像ファイルを読み出して、このファイル中の主画像および副画像の２枚の画像信号をモニタ５２に出力し、モニタ５２において乳房Ｍのステレオ画像を表示させる。このとき、立体視画像ファイル中の副画像に設定されているパスワードについてはコンピュータ５１において自動的に入力して解除する。
【００５６】
また、ユーザーから２次元画像表示が要求された際には、画像再生端末５０のコンピュータ５１は、データベース４０に記憶された立体視画像ファイルを読み出して、このファイル中の主画像を自動的に選択して画像信号をモニタ５２に出力し、モニタ５２において乳房Ｍの２次元画像を表示させる。
【００５７】
なお、立体視画像ファイルの再生に対応していない画像再生機器（端末）では、副画像に設定されているパスワードを解除することができないため、立体視画像ファイルの再生に対応していない画像再生機器（端末）において、立体視画像ファイル中の画像データを表示させようとした場合には、主画像のみしか表示できず、主画像および副画像の２枚の画像データを用いたステレオ画像を表示したり、副画像のみを２次元画像として表示することはできない。
【００５８】
上記のような構成とすることにより、ユーザーが立体視画像ファイル中の複数の放射線画像の中のいずれか一枚の画像のみを表示させて通常画像（２次元画像）として観察しようとした場合に、立体視画像ファイルの再生に対応した画像再生機器（端末）では、２次元観察に適した主画像を認識して表示させることができ、立体視画像ファイルの再生に対応していない画像再生機器では、２次元観察に適した主画像のみしか表示させないようにすることができるので、どのような画像再生機器（端末）においても適切な画像を表示して診断を行わせることが可能となる。
【００５９】
なお、上記実施の形態においては、立体視画像ファイルの生成時に、副画像に対して立体視画像ファイルの再生に対応した画像再生端末５０において既知のパスワードを設定するとともに、立体視画像ファイルの再生に対応した画像再生端末５０において、副画像表示時にパスワードを自動解除するように構成しているが、他にも、立体視画像ファイルの生成時に、副画像を立体視画像ファイルの再生に対応した画像再生端末５０において復号可能な暗号により暗号化して保存するとともに、立体視画像ファイルの再生に対応した画像再生端末５０において、副画像表示時に暗号化された副画像を複合するように構成してもよい。
【００６０】
また、立体視画像ファイル中において主画像に設定する画像は、立体視画像ファイル中の最も撮影角度が小さい画像とする態様に限らず、立体視画像ファイル中の最も画質の良い画像としてもよい。
【００６１】
ここで、立体視画像ファイル中の最も画質の良い画像を選択する方法については、Ｓ／Ｎが最も高い画像を画質が良い画像として選択するようにしてもよい。ここで、放射線画像においてＳ／Ｎが高いとは、具体的にはＮＥＱ(Noise Equivalent Quanta:雑音等価量子数)が高いことを指す。
【００６２】
また、上記の方法以外にも、鮮鋭度が最も高い画像を画質が良い画像として選択するようにしてもよい。ここで、鮮鋭度が高いとは、画素数が多いこと、もしくは、画像中の高周波成分が多いことを指す。
【００６３】
また、これ以外の方法により画質が良い画像を選択するようにしてもよい。
【００６４】
以上、本発明の好ましい実施の形態について説明したが、本発明は乳房用立体視画像撮影表示システムに限定されるものではなく、例えば胸部や頭部等を撮影する放射線画像撮影装置等、どのようなシステムとも組み合わせることができる。
【００６５】
また、上記以外にも、本発明の要旨を逸脱しない範囲において、各種の改良や変形を行なってもよいのは勿論である。
【図１】
0005946070.tif 000002
【図２】
0005946070.tif 000003
【図３】
0005946070.tif 000004
【図４】
0005946070.tif 000005